(57)【要約】 【課題】  既存の携帯電話装置に接続可能であり、通信網と通信不可能に構成され、メール情報を作成することができる情報端末装置を提供する。【解決手段】  情報端末装置１は、携帯電話装置２と機械的および電気的に接続可能であり、通信網と通信不可能に構成され、通信部３は、入力部１３によって作成されたメール情報を送信する送信指令を携帯電話装置２に与えるように制御部５によって制御されるので、携帯電話装置２を用いることができない場所であっても、入力部１３によってメール情報を作成することができ、入力部１３によって作成されたメール情報を、携帯電話装置２を用いてもよい場所に移動した後に、携帯電話装置２に接続して携帯電話装置２を介して通信網に送信させることができる。【選択図】      図１
2007264837.tif 000002
【特許請求の範囲】
【請求項１】
携帯電話装置と機械的および電気的に接続可能であり、通信網と通信不可能に構成される情報端末装置であって、
携帯電話装置と機械的および電気的に接続された接続状態で、携帯電話装置と通信可能な通信手段と、
通信手段を介して、携帯電話装置に記憶される情報を出力可能な出力手段と、
携帯電話装置に記憶される情報を記憶可能な記憶手段と、
携帯電話装置から送信されるべきメール情報を作成するための作成手段と、
通信手段を介して、携帯電話装置に記憶される情報のうち、予め定める情報を受信し、受信した情報を記憶するように記憶手段を制御するとともに、作成手段によって作成されたメール情報を送信する送信指令を携帯電話装置に与えるように通信手段を制御する制御手段とを含むことを特徴とする情報端末装置。
【請求項２】
携帯電話装置と機械的および電気的な接続状態であるか非接続状態であるかを検出する検出手段をさらに含み、
制御手段は、検出手段によって接続状態であることを検出すると、通信手段を介して、携帯電話装置に記憶されるメール情報に関する情報を記憶するように記憶手段を制御することを特徴とすることを特徴とする請求項１に記載の情報端末装置。
【請求項３】
携帯電話装置と機械的および電気的に接続状態であるか非接続状態であるかを検出する検出手段をさらに含み、
制御手段は、検出手段によって接続状態であることを検出すると、携帯電話装置の予め定める動作を許容する指令を携帯電話装置に与えるように通信手段を制御することを特徴とする請求項１に記載の情報端末装置。
【発明の詳細な説明】
【技術分野】
【０００１】
本発明は、携帯電話装置に電気的および機械的に接続可能な情報端末装置に関する。
【背景技術】
【０００２】
電波の発信を禁止されている場所、たとえば病院内、電車内および航空機内などでは、携帯電話装置の使用がすることができない。このような場所では、電波の発信を行わない操作、たとえばメールの作成および閲覧などの操作であっても、操作をすることができない。このような課題を解決する技術として、第１の従来の技術が開示されている。
【０００３】
第１の従来の技術の携帯電話装置は、電磁波放射が禁止または制限されている場所において、電磁波放射を伴わない動作であるメール作成のみを実行可能にし、所望時にメール送信を実行可能に構成される。これによって電磁波放射が禁止または制限されている場所であっても、メールを作成することができ、携帯電話装置を有効に用いることができる（たとえば特許文献１参照）。
【０００４】
また携帯電話装置に記憶される個人情報を保護する技術として、第２および第３の従来の技術が開示されている。第２の従来の技術の携帯端末装置は、メモリが内蔵された入力ペンを、携帯端末本体に差込んで、メモリに記憶されているデータを読み書き可能に構成される。メモリには、セキュリティチェックに用いられるＩＤ番号データ、送受信メールおよび電話帳データなどの個人情報などが記憶されており、操作者は、携帯端末本体の使用開始時に、自分専用の入力ペンを挿入することによって、メモリに記憶されている各データを読み出して、セキュリティチェックし、各種動作を実行することができる（たとえば特許文献２参照）。
【０００５】
また第３の従来の技術の携帯電話機は、ＩＣカードが挿入されていない状態では、利用者が携帯電話機の電源ボタンを押しても電源ＯＮにならず、携帯電話機にＩＣカードを差し込み、電源ボタンを押すと電源ＯＮにすることができるように構成される。これによってＩＣカードを持たない第３者は、携帯電話機本体の電源を入れることができないので、携帯電話機を操作することができず、セキュリティを確保することができる。
【０００６】
また操作者がＩＣカードを差し込み、電源がＯＮになると自動的にＩＣカードからデータ読み込まれ、ＩＣカードに記憶される送受信メールおよび電話帳などの個人情報によって、携帯電話機を用いることができる。携帯電話機が用いられて個人情報が変更された場合、それらの情報が差分情報としてＩＣカードに書き込まれ、携帯電話機本体から消去されるように構成される。したがって他のＩＣカードを持つ第３者であっても、それぞれの操作者が有するＩＣカードに個人情報が個別に記憶されているので、同一の携帯電話機を用いた場合であっても、他のＩＣカードを持つ第３者に個人情報の漏洩を防ぐことができる（たとえば特許文献３参照）。
【０００７】
【特許文献１】特開２００２−３６９２４８号公報
【特許文献２】特開平１０−１４３２６９号公報
【特許文献３】特開２００４−１７２８８５号公報
【発明の開示】
【発明が解決しようとする課題】
【０００８】
前述の第１の従来の技術では、電磁波放射が禁止または制限されている場所であっても、メールを作成することはできるが、前述のような機能を備えない既存の携帯電話装置では、前述の機能を用いることができない。したがって消費者は、既存の携帯電話装置から前述のような機能を備える携帯電話装置を新たに購入する必要があるので、消費者の負担となり、電磁波放射を制限する携帯電話装置を容易に実現することが困難である。
【０００９】
また前述の第２および第３の従来の技術では、個人情報が記憶される記憶装置を、携帯電話装置に装着することによって、携帯電話装置が操作可能であるが、電磁波放射が禁止または制限されている場所では用いることができず、不便である。
【００１０】
したがって本発明の目的は、既存の携帯電話装置に接続可能であり、通信網と通信不可能に構成され、メール情報を作成することができる情報端末装置を提供することである。
【課題を解決するための手段】
【００１１】
本発明は、携帯電話装置と機械的および電気的に接続可能であり、通信網と通信不可能に構成される情報端末装置であって、
携帯電話装置と機械的および電気的に接続された接続状態で、携帯電話装置と通信可能な通信手段と、
通信手段を介して、携帯電話装置に記憶される情報を出力可能な出力手段と、
携帯電話装置に記憶される情報を記憶可能な記憶手段と、
携帯電話装置から送信されるべきメール情報を作成するための作成手段と、
通信手段を介して、携帯電話装置に記憶される情報のうち、予め定める情報を受信し、受信した情報を記憶するように記憶手段を制御するとともに、作成手段によって作成されたメール情報を送信する送信指令を携帯電話装置に与えるように通信手段を制御する制御手段とを含むことを特徴とする情報端末装置である。
【００１２】
また本発明は、携帯電話装置と機械的および電気的な接続状態であるか非接続状態であるかを検出する検出手段をさらに含み、
制御手段は、検出手段によって接続状態であることを検出すると、通信手段を介して、携帯電話装置に記憶されるメール情報に関する情報を記憶するように記憶手段を制御することを特徴とすることを特徴とする。
【００１３】
さらに本発明は、携帯電話装置と機械的および電気的に接続状態であるか非接続状態であるかを検出する検出手段をさらに含み、
制御手段は、検出手段によって接続状態であることを検出すると、携帯電話装置の予め定める動作を許容する指令を携帯電話装置に与えるように通信手段を制御することを特徴とする。
【発明の効果】
【００１４】
本発明によれば、情報端末装置は、携帯電話装置と機械的および電気的に接続可能であり、通信網と通信不可能に構成されるので、電波の発信が禁止されている場所であっても用いることができる。記憶手段は、接続状態では通信手段を介して、携帯電話装置に記憶される情報のうち、予め定める情報を受信し、受信した情報を記憶するように制御手段によって制御される。これによって操作者は、情報端末装置を用いて、携帯電話装置に記憶される情報を出力手段によって出力させて、確認することができる。したがって携帯電話装置を用いることができない場所であっても、本発明の情報端末装置を用いることによって、携帯電話装置に記憶される情報を確認することができる。また通信手段は、作成手段によって作成されたメール情報を送信する送信指令を携帯電話装置に与えるように制御手段によって制御される。これによって携帯電話装置を用いることができない場所であっても、作成手段によってメール情報を作成することができる。作成手段によって作成されたメール情報を、携帯電話装置を用いてもよい場所に移動した後に、携帯電話装置に接続して携帯電話装置を介して通信網に送信させることができる。
【００１５】
また本発明によれば、記憶手段は、検出手段によって接続状態であることを検出すると、通信手段を介して、携帯電話装置に記憶されるメール情報に関する情報を記憶するように制御手段によって制御される。これによって情報端末装置を携帯電話装置と接続することによって、いわば自動的にメール情報に関する情報を、記憶手段に記憶させることができる。したがって操作者は、なんら特別な操作を行うことなく、単に情報端末装置を携帯電話装置に接続する操作だけで、情報端末装置にメール情報に関する情報を記憶させることができるので、利便性が向上する。これによって操作者は、情報端末装置を用いて、メール情報に関する情報を容易に確認することができ、またメール情報に関する情報に基づいて、新たなメール情報を作成手段によって作成することができる。
【００１６】
さらに本発明によれば、通信手段は、検出手段によって接続状態であることを検出すると、携帯電話装置の予め定める動作を許容する指令を携帯電話装置に与えるように制御手段によって制御される。これによって携帯電話装置の予め定める動作は、情報端末装置と接続状態あるか非接続状態であるかで、許容されるか否かが変更される。したがって情報端末装置を接続した接続状態でのみ、携帯電話装置の予め定める動作が許容されるので、第３者に不所望に携帯電話装置が操作された場合であっても、予め定める動作が第３者に実行されることを防ぐことができる。これによって携帯電話装置に記憶される情報の漏洩を防止することができ、セキュリティ性能を向上することができる。
【発明を実施するための最良の形態】
【００１７】
以下、図面を参照しながら本発明を実施するための形態について説明する。図１は、本発明の実施の一形態である情報端末装置１の電気的構成を示すブロック図である。図２は、情報端末装置１および携帯電話装置２を簡略化して示す正面図である。情報端末装置１は、図２に示すように、携帯電話装置２と機械的および電気的に接続可能であって、通信網から独立して構成される。したがって情報端末装置１は、通信網と通信不可能に構成される。換言すると、情報端末装置１は、無線によって他の装置と通信不可能に構成され、電磁波を発信および受信する機能を有していない。これによって情報端末装置１は、電磁波の放射が禁止または制限されている場所、たとえば病院内および飛行機内であっても、支障なく操作することができる。
【００１８】
情報端末装置１は、電子装置であって、たとえば操作者が携帯して用いることが容易な携帯型の情報端末装置１である。情報端末装置１は、携帯電話装置２に機械的に接続されることによって、携帯電話装置２と通信可能に構成される。情報端末装置１は、既存の携帯電話装置２に接続可能に構成される。情報端末装置１は、通信部３、表示部４、制御部５、検出部６、記憶部７、音入力部８、音出力部９、カメラ部１０および入力部１３を含んで構成される。
【００１９】
通信部３は、通信手段であって、携帯電話装置２と通信可能に接続するための接続部１１を有する。通信部３は、携帯電話装置２と接続部１１によって接続され、たとえば記憶部７に記憶される各種の情報を携帯電話装置２と通信可能に構成される。通信部３は、携帯電話装置２から与えられる情報を制御部５に与える。また通信部３は、制御部５から与えられる情報を携帯電話装置２に与える。
【００２０】
検出部６は、検出手段であって、携帯電話装置２と機械的および電気的に接続している接続状態であるか非接続状態であるかを検出し、検出した検出情報を制御部５に与える。検出部６は、たとえば電圧検出手段によって実現され、接続状態であるか非接続状態であるかによって変化する電圧を検出し、検出した電圧値を検出情報として制御部５に与える。
【００２１】
記憶部７は、記憶手段であって、たとえばフラッシュメモリなどの半導体装置から成り、制御部５の制御に用いられるプログラムおよび各種の情報を記憶する。記憶部７は、制御部５から与えられる情報、たとえば画像情報および音声情報を一時的、または長期的に記憶する。また記憶部７は、メール情報、たとえば未送信メールに基づく未送信メール情報を記憶可能である。また記憶部７は、メール情報に関する情報、たとえばメール送信履歴、メール受信履歴、受信メール、送信メールおよびメールアドレスを記憶可能である。記憶部７は、たとえば、氏名、電話番号、発信履歴、着信履歴、メール情報およびメールに関する情報などの携帯電話装置２に記憶される個人情報も記憶可能である。
【００２２】
入力部１３は、入力手段であって、情報を入力するための複数の操作部１２を有する。各操作部１２は、操作によって入力される入力情報が個別に割当てられる。入力部１３は、携帯電話装置２に記憶される情報を選択するための選択手段としての機能を有する。各操作部１２は、操作によって選択される選択情報を入力可能である。また入力部１３は、携帯電話装置２から送信されるべきメール、いわゆる未送信メールを作成するための作成手段としての機能を有する。各操作部１２は、操作によってメールの本文、送信先のアドレス、メールに添付する画像情報などの未送信メール情報を入力可能である。操作部１２は、テンキーおよびファンクションキーなどを備える。テンキーは、たとえば電話番号などの入力、または文字情報の入力に用いられる。ファンクションキーは、たとえば各種設定などを行うためのキーである。各操作部１２は、操作者に操作され、割当てられる入力情報、たとえば各部の動作の指示が入力される。操作部１２は、たとえば押下スイッチによって実現される。入力部１３は、各操作部１２が操作されて入力された入力情報、選択された選択情報、未送信メール情報を制御部５に与える。
【００２３】
カメラ部１０は、撮像手段であって、たとえば電荷結合素子（Charge Coupled Device：略称ＣＣＤ）などの撮像素子から成り、被写体を撮像することができる。カメラ部１０は、撮像される画像情報を制御部５に与える。またカメラ部１０は、制御部５から与えられる指令情報に基づいて制御される。
【００２４】
表示部４は、出力手段であって、制御部５から与えられる情報を表示可能な情報、たとえば画像情報および文字情報に変換し表示して出力する。表示される情報は、たとえばカメラ部１０によって撮像された画像情報、通信部３を介して与えられる情報、記憶部７に記憶される情報、および各種操作するための情報である。表示部４は、たとえばカラー表示可能な液晶ディスプレイ（Liquid Crystal Display：略称ＬＣＤ）によって実現される。
【００２５】
音出力部９は、出力手段であって、制御部５から与えられる音情報、たとえば記憶部７に記憶される情報、たとえば音楽情報、および操作部１２を操作したときの操作音を外部に出力する。音出力部９は、たとえばスピーカによって実現される。音入力部８は、外部から与えられる音声情報を制御部５に与える。
【００２６】
制御部５は、制御手段であって、記憶部７に記憶されるプログラムとあいまって、与えられる指令情報および入力情報などに基づいて、情報端末装置１全体の動作を決定する。動作が決定すると、制御部５は、各部に対して指令情報を与える。制御部５は、たとえばカメラ部１０のシャッター動作およびズーム操作などの動作を制御する。制御部５は、たとえばマイクロコンピュータなどの処理回路によって実現される。制御部５の行う主な制御には、次のようなものがある。
【００２７】
（ａ）通信部３を介して、携帯電話装置２に記憶される情報のうち、入力部１３によって選択される情報を記憶するように記憶部７を制御する。
【００２８】
（ｂ）入力部１３によって作成された未送信メール情報を送信する送信指令を携帯電話装置２に与えるように通信部３を制御する。
【００２９】
（ｃ）検出部６によって携帯電話装置２と接続状態であることを検出すると、通信部３を介して、携帯電話装置２に記憶されるメール情報に関する情報などの個人情報を記憶するように記憶部７を制御する。
【００３０】
（ｄ）検出部６によって携帯電話装置２と接続状態であることを検出すると、携帯電話装置２の予め定める動作を許容する指令を与える。
【００３１】
次に、制御部５の動作に関して、フローチャートを用いて説明する。各フローチャートの動作は、制御部５によって行われる。図３は、制御部５による選択情報送信処理を示すフローチャートである。この処理は、情報端末装置１が電源投入情報で、繰り返し実行される。
【００３２】
ステップａ１では、検出部６から与えられる検出情報に基づいて、携帯電話装置２と接続状態にあるか、非接続状態にあるかを判断し、接続状態である場合、ステップａ２に移り、非接続状態である場合、本フローを終了する。ステップａ２では、接続状態であるので、携帯電話装置２に記憶される個人情報を選択する選択画面を表示部４によって表示し、ステップａ３に移る。ステップａ３では、選択画面に基づいて、操作者から携帯電話装置２に選択情報が入力されたか否かを判断し、選択情報が入力された場合、ステップａ４に移り、選択情報が入力されない場合、本フローを終了する。ステップａ４では、選択情報は、通信部３を介して携帯電話装置２に送信され、本フローを終了する。
【００３３】
以上、図３に関連して説明したように、制御部５は、接続状態において、携帯電話装置２に記憶される情報のうち、入力部１３によって選択される選択情報を携帯電話装置２に送信するように制御する。これによって情報端末装置１は、選択情報によって選択された個人情報を、携帯電話装置２から情報端末装置１に送信させる指令を与えることができる。
【００３４】
図４は、制御部５による個人情報記憶処理を示すフローチャートである。この処理は、情報端末装置１が電源投入情報で、繰り返し実行される。個人情報記憶処理は、前述の選択情報送信処理に関連しており、携帯電話装置２に選択情報を送信した後の処理である。
【００３５】
ステップｂ１では、選択情報に基づいて、個人情報を受信したか否かを判断し、受信した場合、ステップｂ２に移り、受信していない場合、本フローを終了する。ステップｂ２では、受信した個人情報を記憶部７に記憶するように制御し、ステップｂ３に移る。これによって選択情報によって選択された個人情報が、記憶部７によって記憶される。ステップｂ３では、記憶部７によって記憶された個人情報を、携帯電話装置２に記憶される情報から削除する削除指令を送信し、本フローを終了する。
【００３６】
以上、図４に関連して説明したように、制御部５は、個人情報を受信すると、記憶部７に個人情報を記憶するように制御し、記憶した個人情報を携帯電話装置２から削除するように、携帯電話装置２に削除指令を与える。これによって削除指令が与えられた携帯電話装置２は、削除指令に基づいて、個人情報が削除される。換言すると、携帯電話装置２に記憶される個人情報が、情報端末装置１に移動するように、制御部５によって制御される。したがって操作者は、個人情報、たとえば受信メールなどを、情報端末装置１によって閲覧することができる。また第３者に携帯電話装置２を不所望に操作された場合であっても、情報端末装置１に記憶される個人情報は携帯電話装置２から削除されているので、第３者に不所望に個人情報が閲覧されることを防ぐことができる。
【００３７】
図５は、制御部５による未送信メール情報送信処理を示すフローチャートである。この処理は、情報端末装置１が電源投入情報で、繰り返し実行される。ステップｃ１では、検出部６によって、携帯電話装置２と接続状態にあるか、非接続状態にあるかを判断し、接続状態である場合、ステップｃ２に移り、非接続状態である場合、本フローを終了する。ステップｃ２では、接続状態であるので、入力部１３によって携帯電話装置２から送信されるべきメール、いわゆる未送信メール情報が記憶部７に記憶されているか否かを判断し、記憶されている場合、ステップｃ３に移り、記憶されていない場合、本フローを終了する。ステップｃ３では、未送信メール情報が記憶されているので、未送信メール情報は、通信部３を介して携帯電話装置２に送信され、本フローを終了する。
【００３８】
以上、図５に関連して説明したように、制御部５は、接続状態で、未送信メール情報が記憶部７にあると、未送信メール情報を携帯電話装置２に送信するように制御する。これによって携帯電話装置２は、未送信メール情報が与えられると、未送信メールを送信先に送信することができる。したがって未送信メール情報は、携帯電話装置２に与えられると、送信指令となり、この送信指令に基づいて、未送信メール情報に基づく未送信メールを送信するように携帯電話装置２が制御される。したがって携帯電話装置２を用いることなく、情報端末装置１を用いて携帯電話装置２から送信すべきメール情報を作成し、作成した未送信メール情報を携帯電話装置２によって送信させることができる。
【００３９】
本実施の形態では、検出部６によって接続状態と判断されると、いわば自動的に未送信メール情報が携帯電話装置２に送信されるように制御されているが、このような制御に限ることはなく、操作者が入力部１３を操作することによって未送信メール情報を携帯電話装置２に送信するように制御してもよい。
【００４０】
図６は、制御部５によるセキュリティ解除指令送信処理を示すフローチャートである。この処理は、情報端末装置１が電源投入情報で、繰り返し実行される。セキュリティ解除指令は、携帯電話装置２のセキュリティを解除するように制御する指令である。ステップｄ１では、検出部６によって、携帯電話装置２と接続状態にあるか、非接続状態にあるかを判断し、接続状態である場合、ステップｄ２に移り、非接続状態である場合、本フローを終了する。ステップｄ２では、接続状態であるので、情報端末装置１に予め登録される識別(Identification：略称ＩＤ)情報と、携帯電話装置２に予め登録されるＩＤ情報とが一致するか否かを判断し、一致する場合、ステップｄ３に移り、一致しない場合、本フローを終了する。ステップｄ３では、ＩＤ情報が一致するので、セキュリティ解除指令を携帯電話装置２に送信し、本フローを終了する。
【００４１】
以上、図６に関連して説明したように、制御部５は、接続状態で、情報端末装置１と携帯電話装置２とのＩＤ情報が一致するか否かを判断し、一致している場合、セキュリティ解除指令を送信する。したがって制御部５は、許容手段として機能し、検出部６によって接続状態であることを検出すると、携帯電話装置２の予め定める動作を許容するセキュリティ解除指令を携帯電話装置２に与える。これによって携帯電話装置２は、セキュリティ解除指令が与えられると、セキュリティが機能しているセキュリティ状態が解除され、すべての動作が許容されるセキュリティ解除状態となる。携帯電話装置２は、情報端末装置１と非接続状態では、常にセキュリティが機能しているセキュリティ状態であり、ＩＤ情報が一致する情報端末装置１を接続することで、セキュリティが解除されセキュリティ解除状態にすることができる。換言すると、情報端末装置１は、携帯電話装置２のセキュリティ状態を解除するための鍵としての機能を有する。
【００４２】
ここで、セキュリティが機能しているセキュリティ状態では、携帯電話装置２のすべての操作を禁止する、いわゆるロックモードであってもよいし、予め設定する一部の動作、たとえば発着信などの特定の動作を禁止するセキュリティ状態でもあってもよく、予め定める情報、たとえば受信メールの閲覧を禁止するセキュリティ状態であってもよく、予め定める情報を隠し情報として、情報の存在がわからないようにするセキュリティ状態であってもよい。このようなセキュリティ状態の設定は、操作者によって任意に設定することができる。したがってＩＤ情報が一致する情報端末装置１を持たない第３者は、携帯電話装置２を使用することができない。したがって携帯電話装置２を第３者に不所望に用いられることを確実に防ぐことができる。
【００４３】
このように本実施の形態では、通信部３は、検出部６によって接続状態であることを検出すると、携帯電話装置２の予め定める動作を許容する指令を携帯電話装置２に与えるように制御部５によって制御される。これによって携帯電話装置２の予め定める動作は、情報端末装置１と接続状態にあるか非接続状態にあるかで、許容されるか否かが変更される。したがって情報端末装置１を接続した接続状態でのみ、携帯電話装置２の予め定める動作が許容されるので、第３者に不所望に携帯電話装置２が操作された場合であっても、予め定める動作が第３者に実行されることを防ぐことができる。これによって携帯電話装置２に記憶される情報の漏洩を防止することができ、セキュリティ性能を向上することができる。
【００４４】
以上説明したように、本実施の形態では、情報端末装置１は、携帯電話装置２と機械的および電気的に接続可能であり、通信網と通信不可能に構成されるので、電波の発信が禁止されている場所であっても、不都合なく用いることができる。記憶部７は、通信部３を介して、携帯電話装置２に記憶される情報のうち、予め定める情報、たとえば特定の個人情報を受信し、受信した情報を記憶するように制御部５によって制御される。これによって操作者は、情報端末装置１を用いて、携帯電話装置２に記憶される情報を表示部４または音出力部９によって出力させて、確認することができる。したがって携帯電話装置２を用いることができない場所であっても、情報端末装置１を用いることによって、携帯電話装置２に記憶される情報を確認することができる。また通信部３は、入力部１３によって作成されたメール情報を送信する送信指令を携帯電話装置２に与えるように制御部５によって制御される。これによって携帯電話装置２を用いることができない場所であっても、入力部１３によってメール情報を作成することができる。入力部１３によって作成されたメール情報を、携帯電話装置２を用いてもよい場所に移動した後に、携帯電話装置２に接続して携帯電話装置２を介して通信網に送信させることができる。
【００４５】
前述の実施の形態は、本発明の例示に過ぎず、本発明の範囲内において構成を変更することができる。前述の実施の形態では、操作者によって選択された情報を記憶するように制御されているがこれに限ることはない。たとえば検出部６によって接続状態であることを検出すると、携帯電話装置２に記憶される情報のうち、予め定める情報、たとえば個人情報を、いわば自動的に携帯電話装置２から情報端末装置１に送信させる指令を与えるように構成してもよい。これによって操作者は、携帯電話装置２に情報端末装置１を接続することによって、いわば自動的に携帯電話装置２に記憶される個人情報を、情報端末装置１に送信させる指令を与えることができる。したがって利便性が向上する。
【００４６】
またたとえば記憶部７は、検出部６によって接続状態であることを検出すると、通信部３を介して、携帯電話装置２に記憶されるメール情報に関する情報を記憶するように制御部５によって制御されるように構成してもよい。これによって情報端末装置１を携帯電話装置２と接続することによって、いわば自動的にメール情報に関する情報を、記憶部７に記憶させることができる。したがって操作者は、なんら特別な操作を行うことなく、単に情報端末装置１を携帯電話装置２に接続する操作だけで、情報端末装置１にメール情報に関する情報を記憶させることができるので、利便性が向上する。これによって操作者は、情報端末装置１を用いて、メール情報に関する情報を容易に確認することができ、またメール情報に関する情報に基づいて、新たなメール情報を入力部１３によって作成することができる。
【００４７】
また前述の実施の形態では、ＩＤ情報に基づいて正規の情報端末装置１であるか否かを判断しているのが、ＩＤ情報に限らず、たとえばパスワードを予め定め設定し、パスワードが一致するか否かによって、正規の操作者が情報端末装置１を用いている否かを判定してもよい。
【００４８】
また前述の実施の形態では、図２に示すように、情報端末装置１は、携帯電話装置２と類似の形状を有しているが、このような形状に限ることはない。たとえば情報端末装置１は、携帯電話装置２と比類似の形状、たとえば携帯ゲーム機の形状に構成することが好ましい。これによって電磁波の発信が禁止されている場所で、情報端末装置１を用いた場合であっても、周囲の人からは携帯電話装置２ではない電子装置を用いていることが明らかになり、周囲の人に操作者が携帯電話装置２を用いているという不快感を与えることを防ぐことができる。
【図面の簡単な説明】
【００４９】
【図１】本発明の実施の一形態である情報端末装置１の電気的構成を示すブロック図である。
【図２】情報端末装置１および携帯電話装置２を簡略化して示す正面図である。
【図３】制御部５による選択情報送信処理を示すフローチャートである。
【図４】制御部５による個人情報記憶処理を示すフローチャートである。
【図５】制御部５による未送信メール情報送信処理を示すフローチャートである。
【図６】制御部５によるセキュリティ解除指令送信処理を示すフローチャートである。
【符号の説明】
【００５０】
１  情報端末装置
２  携帯電話装置
３  通信部
４  表示部
５  制御部
６  検出部
７  記憶部
８  音入力部
９  音出力部
１０  カメラ部
１１  接続部
１２  操作部
１３  入力部
【図１】
2007264837.tif 000003
【図２】
2007264837.tif 000004
【図３】
2007264837.tif 000005
【図４】
2007264837.tif 000006
【図５】
2007264837.tif 000007
【図６】
2007264837.tif 000008